(57)【要約】【課題】  各カラオケ曲の音量を簡略に調整できるようにしたカラオケ装置を提供する。【解決手段】  カラオケ装置７は、カラオケ曲のデータとは別にボリュームリストをセンタ１からダウンロードする。ボリュームリストは、各カラオケ曲のボリューム変更情報が記載されている。カラオケ曲の演奏時に、ボリュームリストにそのカラオケ曲の記載がされているかを判断し、リストに存在する場合は記載されたボリューム情報を読み出して、音量を決定する。【選択図】  図５
2006276716.tif 000002
【特許請求の範囲】
【請求項１】
カラオケ曲の楽音を発生するための楽曲データを複数記憶する記憶手段と、
前記楽曲データを読み出し、カラオケ曲の音量を決定する情報であるボリューム情報に基づいた音量でカラオケ曲の楽音を発生する演奏手段と、
複数のカラオケ曲のボリューム情報をそれぞれ記載したボリュームリストをダウンロードして記憶手段に記憶させるボリュームリストダウンロード手段と、
を備え、
前記演奏手段は、カラオケ曲の演奏を開始するときにボリュームリストを検索し、そのカラオケ曲のボリューム情報がボリュームリストに存在する場合には、ボリュームリストに記載された音量でカラオケ曲を演奏し、ボリュームリストに存在しない場合には、前記楽曲データに含まれているボリューム情報に基づいた音量でカラオケ曲を演奏することを特徴とするカラオケ装置。
【請求項２】
前記ボリュームリストは、楽音トラック、コーラストラック、およびガイドボーカルトラック、のそれぞれのボリューム情報を記載したリストであることを特徴とする請求項１に記載のカラオケ装置。
【請求項３】
前記ボリュームリストは、コーラストラック、ガイドメロディトラックの音量を楽音トラックの音量の変更に連動して変更するか否かのフラグが記載され、
前記演奏手段は、前記フラグがオンであれば楽音トラックの音量を変更するとき、連動して他のトラックの音量も変更することを特徴とする請求項２に記載のカラオケ装置。
【発明の詳細な説明】
【技術分野】
【０００１】
この発明は、カラオケ曲の音量を適量にコントロールするカラオケ装置に関する。
【背景技術】
【０００２】
従来のカラオケ装置では、マイクの音量とカラオケ曲の音量を装置本体に備えられたボリュームつまみなどで手動調整していた。しかし、カラオケ曲の音量は曲毎に異なるので、このようなカラオケ装置では、カラオケ曲が変わるたびにボリューム調整をしなければならないといった問題があった。
【０００３】
そこで各曲の音量に合わせてマイクまたは楽音の音量を自動調整するカラオケ装置用ボリューム自動調整装置が提案されている（特許文献１を参照）。
【特許文献１】特開平９−２１４２６６号公報
【発明の開示】
【発明が解決しようとする課題】
【０００４】
特許文献１に記載のカラオケ装置用ボリューム調整装置は、スピーカ直前の最終段でマイクとカラオケ曲（楽音）の音声信号のレベルを調整するものである。このような装置の場合、カラオケ装置に専用の音量調整回路を組み込む必要があり、後付で組み込むには非常に手間がかかる問題があった。また、基準の音量となるように、演奏中に常時レベル調整処理を行うので、ＣＰＵに負担がかかるという問題もあった。
【０００５】
この発明は、各カラオケ曲の音量を簡略に調整できるようにしたカラオケ装置を提供することを目的とする。
【課題を解決するための手段】
【０００６】
この発明のカラオケ装置は、カラオケ曲の楽音を発生するための楽曲データを複数記憶する記憶手段と、前記楽曲データを読み出し、カラオケ曲の音量を決定する情報であるボリューム情報に基づいた音量でカラオケ曲の楽音を発生する演奏手段と、複数のカラオケ曲のボリューム情報をそれぞれ記載したボリュームリストをダウンロードして記憶手段に記憶させるボリュームリストダウンロード手段と、を備え、前記演奏手段は、カラオケ曲の演奏を開始するときにボリュームリストを検索し、そのカラオケ曲のボリューム情報がボリュームリストに存在する場合には、ボリュームリストに記載された音量でカラオケ曲を演奏し、ボリュームリストに存在しない場合には、前記楽曲データに含まれているボリューム情報に基づいた音量でカラオケ曲を演奏することを特徴とする。
【０００７】
この発明において、カラオケ曲の楽曲データとは別に、各カラオケ曲の音量を決定する情報が記載されたボリュームリストをダウンロードする。演奏手段（シーケンサ）は、このボリュームリストを参照することで、楽音の音量を変更し、カラオケ曲を再生する。
【０００８】
この発明は、さらに、前記ボリュームリストは、楽音トラック、コーラストラック、およびガイドボーカルトラック、のそれぞれのボリューム情報を記載したリストであることを特徴とする。
【０００９】
この発明において、シーケンサは、楽音トラック、コーラストラック、ガイドメロディトラックのそれぞれについて音量を変更する。これにより、各トラックの音量バランスを調整することができる。
【００１０】
この発明は、さらに、前記ボリュームリストは、コーラストラック、ガイドメロディトラックの音量を楽音トラックの音量の変更に連動して変更するか否かのフラグが記載され、前記演奏手段は、前記フラグがオンであれば楽音トラックの音量を変更するとき、連動して他のトラックの音量も変更することを特徴とする。
【００１１】
この発明において、ボリュームリストに、楽音トラックの音量を変更したときは、コーラストラックとガイドメロディトラックの音量も変更するフラグを設定しておく。当該フラグが記載されたカラオケ曲を演奏するときは、楽音トラックの音量変更の割合で他のトラックの音量も変更する。これにより、全トラックの音量バランスを変更せずに全体音量を変更することができる。
【発明の効果】
【００１２】
この発明によれば、カラオケ曲の楽曲データとは別に、カラオケ曲の音量を決定する情報を記載したボリュームリストをダウンロードし、演奏時にはボリュームリストに記載された音量でカラオケ曲を演奏するので各カラオケ曲の音量を簡略に調整することができる。
【発明を実施するための最良の形態】
【００１３】
この実施形態のカラオケ装置は、各カラオケ曲の音量を決定する情報であるボリューム情報が記載されたボリュームリストを、カラオケ曲とは別にダウンロードする。このボリュームリストに記載されたボリューム情報は、曲ごとの音量が均一になるように調整されており、カラオケ曲の演奏時にこのボリュームリストのボリューム情報を読み出して音量を決定することで、連続して複数のカラオケ曲を演奏しても、それぞれ同じ程度の音量で演奏することができる。
【００１４】
以下、本実施形態のカラオケ装置について図面を参照して詳細に説明する。図１はカラオケ店舗の機器配置を説明する図である。このカラオケ店舗には、この発明の実施形態であるカラオケ装置およびリモコンが複数台設置されている。センタ１は、インターネット２を介してカラオケ店舗３のルータ４に接続されている。カラオケ店舗３には、店舗内のＬＡＮ５を介してルータ４、管理装置６、複数台のカラオケ装置７が接続されている。
【００１５】
ルータ４および管理装置６は、カラオケ店舗の管理室内に設置される。複数台のカラオケ装置７は、それぞれ個室（カラオケボックス）に１台ずつ設置される。また、リモコン９は、各個室に１台ないし複数台が設置される。
【００１６】
センタ１は、楽曲データや各楽曲データの音量を決定する情報を記載したボリュームリスト等を蓄積記憶している。各カラオケ装置７は、ＬＡＮ５、ルータ４およびインターネット２を介してセンタ１にアクセスし、楽曲データのダウンロードやボリュームリストのダウンロード等の通信を行う。ボリュームリストについては後ほど詳細に述べる。
【００１７】
管理装置６は、このカラオケ店舗３の係員が操作する端末装置であり、各カラオケ装置７（個室）の利用時間の管理や、各個室からの飲食物等の注文を受け付ける。
【００１８】
リモコン９は、ユーザがカラオケ曲をリクエストするためのリクエスト機能を有している。
【００１９】
各個室に設置されたリモコン９は、その個室に設置されているカラオケ装置７と通信する。ユーザがそのリモコン９を操作して行ったリクエストは、カラオケ装置７に送信され、カラオケ装置７は、受信したリクエストのカラオケ曲を演奏する。
【００２０】
図２は各個室に設置されるカラオケ装置７のブロック図である。カラオケ装置７は、装置全体の動作を制御するＣＰＵ１０と、このＣＰＵ１０に接続された各種機器で構成されている。ＣＰＵ１０には、ハードディスク１１、ＲＡＭ１２、音源１３、ミキサ（エフェクタ）１４、ＭＰＥＧデコーダ２０、合成回路２１、操作部２３、ＬＡＮインタフェース２４、赤外線通信部２５等が接続されている。
【００２１】
ハードディスク１１は、カラオケ曲を演奏するための楽曲データ、モニタ２２に背景映像として表示するための映像データ、および各楽曲データの音量を決定する情報を記載したボリュームリストを記憶している。映像データは動画、静止画の両方を記憶している。ボリュームリストは、各カラオケ曲を演奏（再生）するときに参照するデータである。詳細は後述する。
【００２２】
ＲＡＭ１２には、プログラムを実行するために読み出すエリア、カラオケ曲を演奏するために楽曲データを読み出すエリアなどが設定される。
【００２３】
ＣＰＵ１０は、ハードディスク１１に記憶されているプログラムに基づいて、シーケンサ３０、背景映像再生処理３３、および操作入力処理３４等の処理を実行する。シーケンサ３０は、曲シーケンサ３１、歌詞シーケンサ３２からなっている。
【００２４】
曲シーケンサ３１は、ＨＤＤ１１に記憶されている楽曲データに基づいてカラオケ曲の演奏を実行するプログラムである。楽曲データは図３（Ａ）に示すようにヘッダ、ボリューム情報、トラック群、音声データ部で構成されている。
【００２５】
曲シーケンサ３１は、このうちの楽音トラック等のデータに基づいて音源１３を制御し、カラオケ曲の楽音を発生する。また、歌詞シーケンサ３２は、図３に示す楽曲データのうち、歌詞トラックに基づいて曲の進行に同期して歌詞の文字パターンを合成し、この文字パターンを映像信号に変換して合成回路２１に入力する。
【００２６】
また、シーケンサ３０は、図３（Ｂ）に示すように、ＭＰ３（MPEG AudioLayer-3）で構成される楽曲データのＭＰ３楽音トラック等のデータに基づいてＭＰ３データを読み出す。読み出されたＭＰ３データはＣＰＵ１０でデコードされてカラオケ曲の楽音として発音される。
【００２７】
音源１３は、曲シーケンサ３１の処理によってＣＰＵ１０から入力されたデータ（楽音トラックのノートイベントデータ）に応じて楽音信号を形成する。ＭＰ３で構成される楽曲データの場合、ＣＰＵ１０がＭＰ３データをデコードして楽音信号を形成する。形成した楽音信号はミキサ１４に入力される。ミキサ１４は、音源１３が発生した複数の楽音信号（またはＣＰＵ１０でデコードした楽音信号）、および、マイク１７−Ａ／Ｄコンバータ１８を介して入力された歌唱者の歌唱音声信号に対してエコーなどの効果を付与するとともに、これらの信号を適当なバランスでミキシングする。ミキシングされたデジタルの音声信号はサウンドシステム１５に入力される。サウンドシステム１５はＤ／Ａコンバータおよびパワーアンプを備えており、入力されたデジタル信号をアナログ信号に変換して増幅し、スピーカ１６から放音する。ミキサ１４が各音声信号に付与する効果およびミキシングのバランスはＣＰＵ１０によって制御される。
【００２８】
背景映像再生処理３３は、上記シーケンサ３０による楽音の発生、歌詞テロップの生成と同期して、ＨＤＤ１１に記憶されている映像データ４１を読み出して背景映像を再生する。動画の映像データは、ＭＰＥＧ２形式にエンコードされている。背景映像再生処理３３は、読み出した映像データをＭＰＥＧデコーダ２０に入力する。ＭＰＥＧデコーダ２０は、入力されたＭＰＥＧデータをＮＴＳＣの映像信号に変換して合成回路２１に入力する。合成回路２１には、背景映像の映像信号以外に上記歌詞テロップの文字パターン等が入力される。合成回路２１は、背景映像の映像信号の上に歌詞テロップなどのＯＳＤを合成してモニタ２２に出力する。モニタ２２は、合成回路２１から入力された映像信号を表示する。
【００２９】
操作部２３は、操作パネル面に設けられた各種のキースイッチおよびこのキースイッチの操作を検出するパネルスイッチインタフェースを有している。
【００３０】
また、ＬＡＮインタフェース２４は、ＬＡＮ５を介した通信を制御するためのインタフェースである。カラオケ装置７は、ＬＡＮ５を介してセンタ１、管理装置６と通信する。
【００３１】
また、赤外線通信部２５は、リモコン９から赤外線信号を受信する回路である。この赤外線通信部２５を介してリモコン９からの操作を受け付ける。
【００３２】
なお、赤外線通信部２５に代えて、ＬＡＮ５を介してリモコン９からの操作を受け付けることも可能である。この場合、図１に示すＬＡＮ５に複数台の無線アクセスポイントを接続し、無線アクセスポイントを介した無線通信によってリモコン９がＬＡＮ５に接続される構成とすればよい。各個室に設置されたリモコン９は、店員の操作によってその個室に設置されているカラオケ装置７と対応づけられるものとする。
【００３３】
カラオケ装置７の操作パネル面には、曲番号を入力するためのテンキー、曲のテンポを変更するためのテンポコントロールスイッチ、曲を早送り、巻き戻しするための早送りスイッチ、巻き戻しスイッチ、および、曲を移調するためのキーコントロールスイッチ等が設けられている。
【００３４】
リモコン９は、曲番号を入力するためのテンキー等を備えている。また、曲の演奏前および演奏中に曲のテンポを変更するためのテンポコントロールスイッチ、曲を早送り、巻き戻しするための早送りスイッチ、巻き戻しスイッチ、および、曲を移調するためのキーコントロールスイッチ等も備えている。なお、これらのボタン、スイッチは、リモコン９にＬＣＤとタッチパネルを備え、ＬＣＤに表示されるボタン、スイッチで実現してもよい。
【００３５】
操作部２３は、パネルスイッチが操作されたことを検出して対応する操作信号をＣＰＵ１０に出力する。
【００３６】
また、リモコン９は、各種スイッチ操作を検出し、この操作に対応する操作信号を赤外線通信でカラオケ装置７に送信する。赤外線通信部２５は、リモコン９から受信した操作信号をＣＰＵ１０に入力する。
【００３７】
ＣＰＵ１０は、操作部２３または赤外線通信部２５から入力された操作信号に基づいて対応する処理を実行する。
【００３８】
たとえば、パネルスイッチやリモコン９からリクエストの曲番号が入力されると、この曲番号がシーケンサ３０に入力され、各プログラムは以下の処理を実行する。
【００３９】
シーケンサ３０は、これに応じて、この曲番号で識別されるカラオケ曲の曲データをハードディスク１１の曲データ記憶エリア４０から読み出す。曲シーケンサ３１は曲データ中の楽音トラックなどのトラックのデータを読み出し、このデータで音源１３を制御することによってカラオケ曲の演奏音を発生させる。この曲番号で識別されるカラオケ曲の楽曲データがＭＰ３で構成される場合、ＣＰＵ１０がこのＭＰ３データをデコードしてカラオケ曲の楽音を発生させる。
【００４０】
また、歌詞シーケンサ３２は、曲データ中の歌詞トラックのデータを読み出し、このデータに基づいて歌詞テロップの画像パターンを作成して合成回路２１に出力する。また、背景映像再生処理３３は、シーケンサ３０からの指示に応じて所定の映像データを読み出してＭＰＥＧデコーダ２０に入力する。
【００４１】
また、パネルスイッチやリモコン９からテンポコントロール信号や早送り、巻き戻しの信号が入力されると、この曲番号がシーケンサ３０に入力され、演奏のテンポや歌詞表示の進行がこの信号の内容に応じて設定変更される。
【００４２】
次に、楽曲データの構成について詳細に述べる。
図３は、ハードディスク１１に記憶されている楽曲データの構成を示す図である。
【００４３】
楽曲データは、同図（Ａ）に示すように、ヘッダ、ボリューム情報、歌詞テロップを表示するための歌詞トラック、カラオケ曲を演奏するための楽音トラック、バックコーラスを発生するためのコーラス制御トラック、ガイドボーカルを発生するためのガイドボーカル制御トラック、音声データなどからなっている。
【００４４】
ヘッダには、曲番号やタイトルなどの書誌データが書き込まれている。楽音トラックは、ＭＩＤＩフォーマットに従って記述され、同図（Ｃ）に示すように、ノートオンイベントデータ、ノートオフイベントデータなどのイベントデータと各イベントデータの読み出しタイミングを示すタイミングデータからなっている。ノートオンイベントデータは音高データを含み、このノートオンによって発生する楽音の音高や音量を指定する。この楽音は、対応するノートオフイベントデータが読み出されるまで継続する。
【００４５】
タイミングデータは、各イベントデータ間の時間的間隔を示すデュレーションデータや曲のスタート時刻からの絶対時間を示す絶対時間データなどで構成することができる。
【００４６】
楽音トラックのイベントデータは、上記のように楽音の音高、音量、オン／オフなどを示すＭＩＤＩイベントデータなどで構成され、このＭＩＤＩイベントデータを音源１３に入力することにより、音源１３はこのイベントデータに対応する楽音を発音したり消音したりする。楽音トラックは、多数の楽器の楽音を発生するために複数トラック（パート）で構成されている。
【００４７】
歌詞トラックは、カラオケ曲の曲名や歌詞を表示するための各種データをインプリメントしたシーケンスデータであり、イベントデータである文字表示データと各イベントデータの時間的間隔を示すタイミングデータで構成されている。
【００４８】
コーラス制御トラックおよびガイドボーカル制御トラックは、音声データ部に記憶されているバックコーラス（ガイドボーカル）の再生タイミングを制御するトラックであり、イベントデータである音声指定データおよびタイミングデータで構成されている。音声指定データは、どの音声データをどの周波数にピッチシフトして発音するかを指定する内容になっている。
【００４９】
音声データは、ＡＤＰＣＭ（Adaptive Differential PulseCode Modulation）またはＭＰ３などの圧縮データで構成され、ＣＰＵ１０は必要に応じてこれらをデコードする。なお、カラオケ曲の音声データ専用にハードウェアデコーダを備えていてもよい。
【００５０】
歌詞トラック、コーラス制御トラック、およびガイドボーカル制御トラックは、汎用のＭＩＤＩデータではないが、インプリメーションデータの統一をとり作業工程を容易にするため、全てＭＩＤＩ形式で記述されている。
【００５１】
楽音トラック、コーラス制御トラック、およびガイドボーカル制御トラックにはボリューム情報が付加されている。ボリューム情報は、各トラックをどの音量で発音するかを指定するデータである。楽音トラックのイベントデータは、上記のように楽音の音量を示すＭＩＤＩイベントデータであるが、これは各トラック（パート）毎にインプリメント時に音量バランス調整されているものであり、楽音トラックに付されたボリューム情報は全てのトラック（パート）のマスターボリュームとしての情報である。カラオケ曲演奏時には、曲シーケンサ３１がこのボリューム情報に従って音量を決定する。
【００５２】
コーラス制御トラック、およびガイドボーカル制御トラックにおいては、曲シーケンサ３１が読み出してＣＰＵ１０でデコードした楽音信号のレベルをこのボリューム情報に従って決定するものである。
【００５３】
同図（Ｂ）は、ＭＰ３データからなるカラオケ曲の楽曲データの構成を示した図である。この楽曲データはヘッダ、ボリューム情報、歌詞テロップを表示するための歌詞トラック、ＭＰ３楽音トラック、バックコーラスを発生するためのコーラストラック、ガイドボーカルを発生するためのガイドボーカルトラックなどからなっている。ヘッダ、歌詞トラック、は同図（Ａ）に示した構成と同様であるが、この楽曲データは楽音トラックに代えてＭＰ３楽音トラック（オーディオトラックデータ）、コーラス制御トラックに代えてコーラストラック、ガイドボーカル制御トラックに代えてガイドボーカルトラックが構成されている。
【００５４】
ＭＰ３楽音トラック、コーラストラック、およびガイドボーカルトラックは、カラオケ曲の楽音、コーラス音声、およびガイドボーカル音声を発生するオーディオデータトラックであり、ＣＰＵ１０がＭＰ３楽音トラックをデコードしてカラオケ曲の楽音を発生する。
【００５５】
また、ＭＰ３制御トラック、コーラストラック、およびガイドボーカルトラックにはボリューム情報が付加されている。ボリューム情報は、上述したように、各トラックをどの音量で発音するかを指定するデータであり、読み出してデコードした楽音信号のレベルをこのボリューム情報に従って決定するものである。
【００５６】
次に、図４は、ボリュームリストの構成を示す図である。このボリュームリストは、楽曲データ本体とは別にセンタ１からダウンロードするものである。
【００５７】
ボリュームリストは、楽曲データの曲番号を示す項目、上記各トラックの変更ボリューム情報を記載した項目、および追従フラグで構成されている。シーケンサ３０は、リクエストの曲番号が入力されると、ボリュームリスト中この曲番号で識別される変更ボリューム情報および追従フラグを参照する。
【００５８】
変更ボリューム情報は、上述したカラオケ曲本体の各トラックに付されたボリューム情報に置き換えるための情報である。変更ボリューム情報は、各カラオケ曲の音量バランスが調整されたボリューム情報が記載されており、カラオケ曲演奏時にボリューム情報を変更ボリューム情報に置き換えることで、各カラオケ曲の音量差がなくなる。これにより連続して複数のカラオケ曲を演奏しても、それぞれ同じ程度の音量で演奏することができる。シーケンサ３０はこのリストに記載された変更ボリューム情報に基づいて音量を決定する。リクエストの曲番号がこのリストに存在しない場合には、カラオケ曲本体のボリューム情報に基づいて音量を決定する。
【００５９】
変更ボリューム情報は具体的に、楽音トラック、ＭＰ３楽音トラック、コーラス制御トラック（コーラストラック）、およびガイドボーカル制御トラック（ガイドボーカルトラック）の変更ボリューム情報が記載されている。楽音トラックで構成されているカラオケ曲は、ＭＰ３楽音トラックが存在しないため、このボリュームリスト中にＭＰ３楽音トラックの変更ボリューム情報は記載されていない。また、ＭＰ３楽音トラックで構成されるカラオケ曲は、楽音トラックの変更ボリューム情報は記載されていない。
【００６０】
追従フラグは、リスト中の各カラオケ曲毎に記載されている。この追従フラグがオンとして記載されているカラオケ曲は、楽音トラックまたはＭＰ３楽音トラックの変更ボリューム情報だけが記載されている。コーラス制御トラックとガイドボーカル制御トラックは、楽音トラックまたはＭＰ３楽音トラックの変更ボリューム情報に連動して音量変更される。例えば変更ボリューム情報に記載された音量が、カラオケ曲本体の楽音トラックに付されたボリューム情報に記載されている音量よりも１０％大きい場合、コーラス制御トラックとガイドボーカル制御トラックについてもカラオケ曲本体のボリューム情報に記載されている音量よりも１０％大きくする。
【００６１】
すなわち、追従フラグがオンとして記載されているカラオケ曲は、楽音、コーラス、およびガイドボーカルの音量バランスは変更されずに全体の音量が変更される。追従フラグがオフとして記載されているカラオケ曲については各トラック毎に記載されている変更ボリューム情報に従って音量を変更する。
【００６２】
以上のボリュームリストは、センタ１で予め作成しておくものであり、カラオケ曲毎の音量が聴覚上バランスがとれているように調整されているものである。
【００６３】
なお、メドレー曲の場合は上述したボリュームリストには記載されていないものとする。図５は、メドレー曲の楽曲データであるメドレー記述ファイルの構成を示す図である。メドレー記述ファイルは、ヘッダ、メドレー再生する楽曲データを指示する複数のメドレー区間設定データ、各メドレー区間をつなぐブリッジデータで構成されている。ヘッダにはこのメドレー曲の曲番号、タイトル（曲名）などが書き込まれている。
【００６４】
メドレー区間設定データは、楽曲データを指定する曲番号、その楽曲データ中のメドレー区間のスタートアドレス、このメドレー区間の楽音を発生したのち次のメドレー区間との間に楽音を発生するブリッジデータを指定するブリッジ番号、このメドレー区間のオリジナルのキーからどれだけキーを上下するかを指示するキーシフト量、およびこのメドレー区間のカラオケ曲本体の音量からどれだけ音量を変更するかを記載したボリューム情報からなっている。なお、カラオケ曲がＭＰ３データである場合も同様である。
【００６５】
このように、メドレー曲の場合は、メドレー記述ファイルのボリューム情報に従って音量を決定するものである。
【００６６】
図６は、カラオケ装置の選曲動作を示すフローチャートである。選曲操作は、カラオケ装置７の操作パネル面、またはリモコン９に備えた曲番号を入力するためのテンキーで選択される。
【００６７】
上記の操作でカラオケ曲が選曲されると、そのカラオケ曲の曲番号を含む選曲メッセージを受信する（ｓ１０）。カラオケ装置７が、選曲メッセージを受信すると、この選曲メッセージに含まれている曲番号を読み出して、予約リストに登録する（ｓ１１）。
【００６８】
ここで、予約リストとは、リモコン９またはカラオケ装置７本体のパネルスイッチから入力された曲番号を入力順に記憶しておくリストである。シーケンサ３０は、先に入力された曲番号のカラオケ曲から順次演奏する。予約リストの先頭からカラオケ曲の曲番号を読み出し（ｓ１２）、その曲がメドレー曲か否かを判断する（ｓ１３）。メドレー曲であればそのメドレー記述ファイルを検索して読み出し（ｓ１４）、メドレー演奏処理に進む（ｓ１５）。メドレー記述ファイルについては、上述の通りであり、書き込まれているメドレー区間設定データから順に曲番号を読み出してこの曲番号で指定される楽曲データを読み出す。
【００６９】
一方、通常のカラオケ曲（メドレー曲でないカラオケ曲）の場合には、ボリュームリストを検索し（ｓ１６）、その曲番号で指定されるカラオケ曲がボリュームリストに存在するか否かを判断する（ｓ１７）。ボリュームリストに当該指定曲番号が存在する場合、このリストに記載された変更ボリューム情報に基づいて各トラックのボリューム情報を読みかえる（ｓ１８）。
【００７０】
このとき、ボリュームリストに上述した追従フラグがオンで記載されていれば、楽音トラックまたはＭＰ３楽音トラックの音量変更割合でコーラス制御トラック（コーラストラック）とガイドボーカル制御トラック（ガイドボーカルトラック）の音量も変更する。その曲番号で指定されるカラオケ曲がボリュームリストに存在しない場合には、ボリューム情報の変更は行わずにカラオケ曲本体のボリューム情報によって音量を決定する。
【００７１】
その後、その曲番号で指定される楽曲データを読み出して（ｓ１９）、カラオケ曲の演奏を開始する（ｓ２０）。カラオケ演奏中には、音量の変更を行うものではなく、既存のカラオケ装置と同様の演奏動作を行う。以上の動作はＭＰ３データで構成されたカラオケ曲も同様のものである。
【００７２】
以上のように、本発明のカラオケ装置は、カラオケ曲本体とは別にボリュームリストをダウンロードしておき、カラオケ曲のリクエスト時に、その曲番号がボリュームリストに存在するかを判断する。ボリュームリストに存在する場合はリストに記載された変更ボリューム情報を参照して、音量を決定する。これにより、各カラオケ曲の音量を簡略に調整することができる。
【図面の簡単な説明】
【００７３】
【図１】カラオケ店舗の機器配置を説明する図
【図２】各個室に設置されるカラオケ装置のブロック図
【図３】楽曲データの構成を示す図
【図４】ボリュームリストの構成を説明する図
【図５】選曲動作を示すフローチャート
【図６】カラオケ装置７の曲演奏動作を示すフローチャート
【符号の説明】
【００７４】
１−センタ
７−カラオケ装置
９−リモコン
１０−ＣＰＵ
１１−ＨＤＤ
【図１】
2006276716.tif 000003
【図２】
2006276716.tif 000004
【図３】
2006276716.tif 000005
【図４】
2006276716.tif 000006
【図５】
2006276716.tif 000007
【図６】
2006276716.tif 000008